【手続補正書】
【提出日】平成19年6月11日(2007.6.11)
【手続補正１】
【補正対象書類名】特許請求の範囲
【補正対象項目名】全文
【補正方法】変更
【補正の内容】
【特許請求の範囲】
【請求項１】
検索対象コンテンツ項目に関連付けられている文字列の第１の位置に含まれている第１の文字を受け取ることと、
１つまたは複数のコンテンツ項目に関連付けられている１つまたは複数の文字列のそれぞれの第１の位置に前記第１の文字を含む、１つまたは複数のコンテンツ項目を１つまたは複数のコンテンツデータベースにおいて特定することと、
前記特定されたデータベースコンテンツ項目と関連付けられた文字列の少なくとも１つをユーザーインターフェイス上のコンテンツ項目フィールドにおいて表示することであって、前記少なくとも１つの文字列は前記コンテンツ項目フィールドから選択可能であることと、
各特定されたデータベースコンテンツ項目の第２の位置に最も頻繁に現れる第２の文字を判定することであって、前記第２の位置は前記文字列の前記第１の位置の直後に位置付けられていることと、
前記コンテンツ項目フィールドに表示された前記少なくとも１つの文字列から独立して前記ユーザーインターフェイス上に前記第２の文字を表示することであって、前記第２の文字は前記ユーザーインターフェイスから選択可能であることと
を備え、
前記文字列の１つまたは複数が表示され、前記文字列の少なくとも１つが特定のプリファレンス属性を有するコンテンツ項目を識別し、前記文字列は、前記特定のプリファレンス属性を有するコンテンツ項目と関連付けられた文字列が前記特定のプリファレンス属性を有していないコンテンツ項目と関連付けられた文字列より前に表示されるようにソートされ、前記文字列のそれぞれは、前記文字列と関連付けられたコンテンツ項目にアクセスすることができるテレビベースのチャネルと関連付けられていることを特徴とする方法。
【請求項２】
前記文字列は、２つ以上の文字列が表示されるとき、第３の文字に従ってアルファベット順にソートされ、前記第３の文字は前記文字列の前記第２の文字の直後に位置付けられていることを特徴とする請求項１に記載の方法。
【請求項３】
２つ以上の文字列が表示され、
前記文字列は、アクセスされたチャンネル履歴に基づいて最も頻繁にアクセスされたチャンネルと関連付けられた文字列が、他のチャンネルに関連付けられた文字列が表示されるより前に、表示されるようにソートされることを特徴とする請求項１に記載の方法。
【請求項４】
前記プリファレンス属性は、ユーザーのビヘイビアによって判定されることを特徴とする請求項１に記載の方法。
【請求項５】
前記プリファレンス属性は、ユーザーによって定義されることを特徴とする請求項１に記載の方法。
【請求項６】
前記特定のプリファレンス属性は、
好みのチャンネル、好みの出演者、好みのディレクター、好みの作者、好みのタイトル、好みのローカル検索語、好みのグローバル検索語の属性の１つをさらに備えることを特徴とする請求項１に記載の方法。
【請求項７】
前記第１の文字を入力するためのプロンプトを前記ユーザーインターフェイス上に提供することをさらに備えることを特徴とする請求項１に記載の方法。
【請求項８】
前記第２の文字を表示することは、前記ユーザーインターフェイス上に表示されたオンスクリーンキーボード上の前記第２の文字と関連付けられたキーをハイライトすることをさらに備えることを特徴とする請求項１に記載の方法。
【請求項９】
前記ユーザーインターフェイスは、一度に１つの文字を表示する文字表示をさらに備え、
前記第２の文字を表示することは、前記第２の文字を前記文字表示上に表示することをさらに備えることを特徴とする請求項１に記載の方法。
【請求項１０】
前記ユーザーインターフェイスをテレビ上に表示することをさらに備えることを特徴とする請求項１に記載の方法。
【請求項１１】
前記ユーザーインターフェイスは、コンテンツ放送システムに関連付けられた検索メニューであることを特徴とする請求項１に記載の方法。
【請求項１２】
前記文字列は、名前、タイトル、ローカル検索語、グローバル検索語のタイプの１つをさらに備えることを特徴とする請求項１に記載の方法。
【請求項１３】
前記第１の文字は、前記検索対象コンテンツ項目に関連付けられている前記文字列の最初の文字ではないことを特徴とする請求項１に記載の方法。
【請求項１４】
プロセッサと、
メモリと、
前記プロセッサ上で実行可能であり、ユーザーインターフェイスを表示デバイス上に表示し、前記ユーザーインターフェイスを介して、システムユーザーによって探索されるコンテンツ項目に関連付けられている文字列の第１の位置に含まれている第１の文字を受け取るように構成されるユーザーインターフェイスコードと、
１つまたは複数のコンテンツ項目に関連付けられている１つまたは複数の文字列のそれぞれの第１の位置に前記第１の文字を含む、前記１つまたは複数のコンテンツ項目を１つまたは複数のコンテンツデータベースにおいて特定するように構成された検索モジュールであって、前記文字列の少なくとも１つは、前記少なくとも１つの文字列が前記コンテンツ項目フィールドから選択可能なように前記ユーザーインターフェイス上のコンテンツ項目フィールドに表示可能である検索モジュールと、
各特定されたデータベースコンテンツ項目の第２の位置に最も頻繁に現れる第２の文字を判定するように構成されたデフォルトモジュールであって、前記第２の位置は前記文字列の前記第１の位置の直後に位置付けられているデフォルトモジュールと、
前記第２の文字が前記少なくとも１つの文字列から独立して表示可能なように、前記第２の文字が前記ユーザーインターフェイスから選択可能なように、前記第２の文字の表示イメージを前記ユーザーインターフェイス上でハイライトするように構成された選択モジュールと
を備えたシステムであって、前記システムは、プリファレンス属性を格納するプリファレンスモジュールをさらに備え、
１つ以上の文字列が表示され、前記文字列の少なくとも１つが特定のプリファレンス属性を有するコンテンツ項目を識別し、前記ユーザーインターフェイスコードは、前記特定のプリファレンス属性を有するコンテンツ項目が前記特定のプリファレンス属性を有していないコンテンツ項目よりも前に表示されるように前記文字列を表示するようにさらに構成され、前記文字列のそれぞれは、前記文字列と関連付けられたコンテンツ項目にアクセスすることができるテレビベースのチャネルと関連付けられていることを特徴とするシステム。
【請求項１５】
前記ユーザーインターフェイスコードは、２つ以上の文字列が表示されるとき、前記文字列を第３の文字に従ってアルファベット順に表示するようにさらに構成され、前記第３の文字は前記文字列の前記第２の文字の直後に位置付けられていることを特徴とする請求項１４に記載のシステム。
【請求項１６】
前記システムは、他のチャンネルより頻繁にアクセスされているお気に入りのチャンネルを格納するように構成されたプリファレンスモジュールをさらに備え、
前記ユーザーインターフェイスコードは、２つ以上の文字列が表示されるとき、お気に入りのチャンネルに関連付けられた文字列がお気に入りのチャンネルではないチャンネルに関連付けられている文字列より前に表示されるように、前記文字列をチャンネルに従って表示するようにさらに構成されたことを特徴とする請求項１４に記載のシステム。
【請求項１７】
前記お気に入りのチャンネルは、手動で格納されることを特徴とする請求項１６に記載のシステム。
【請求項１８】
前記お気に入りのチャンネルは、チャンネル使用をモニタすることによって判定されることを特徴とする請求項１６に記載のシステム。
【請求項１９】
前記プリファレンス属性は、手動で前記プリファレンスモジュールに格納されることを特徴とする請求項１４に記載のシステム。
【請求項２０】
前記プリファレンスモジュールは、ユーザーのビヘイビアをモニタすることによって前記プリファレンス属性を判定することを特徴とする請求項１４に記載のシステム。
【請求項２１】
前記特定のプリファレンス属性は、
好みのチャンネル、好みの出演者、好みのディレクター、好みの作者、好みのタイトル、好みのローカル検索語、好みのグローバル検索語の属性の１つをさらに備えたことを特徴とする請求項１４に記載のシステム。
【請求項２２】
前記ユーザーインターフェイスコードは、オンスクリーンキーボードを表示するようにさらに構成され、前記選択モジュールは、前記オンスクリーンキーボード上で前記第２の文字に関連付けられているキーをハイライトするようにさらに構成されたことを特徴とする請求項１７に記載のシステム。
【請求項２３】
前記文字列は、名前、タイトル、ローカル検索語、グローバル検索語のタイプの文字列の１つをさらに備えたことを特徴とする請求項１４に記載のシステム。
【請求項２４】
コンピュータ実行可能命令を収容する１つまたは複数のコンピュータ可読媒体であって、前記コンピュータ実行可能命令は、コンピュータ上で実行されるとき、
１つまたは複数のコンテンツデータベースにおいてコンテンツ項目を特定するために使用された検索語文字列に含まれた、１つまたは複数の文字を受け取るように構成されたユーザーインターフェイスを提供するステップと、
前記検索語文字列の第１の文字を、前記ユーザーインターフェイスを介して受け取るステップであって、前記第１の文字は前記検索語文字列の第１の位置に位置しているステップと、
前記１つまたは複数のコンテンツデータベースを検索して、前記第１の文字をそれぞれの第１の位置に含むコンテンツ項目文字列によってそれぞれ識別されるコンテンツ項目を特定するステップと、
前記ユーザーインターフェイス上のコンテンツ項目フィールドにおいて前記コンテンツ項目の少なくとも１つを表示するステップであって、前記少なくとも１つのコンテンツ項目が前記コンテンツ項目フィールドから選択可能であるステップと、
前記第１の文字の後に入力される最高の確率を有するデフォルトの第２の文字を判定するステップであって、前記デフォルトの第２の文字は前記第１の位置の直後にある前記検索語文字列の第２の位置を占めるステップと、
前記コンテンツ項目フィールドに表示された前記少なくとも１つのコンテンツ項目から独立して前記ユーザーインターフェイス上に前記デフォルトの第２の文字を表示するステップであって、前記デフォルトの第２の文字が前記ユーザーインターフェイスから選択可能であることと、
前記デフォルトの第２の文字の選択を前記ユーザーインターフェイス上で単一のユーザー作動として受け取って、前記デフォルトの第２の文字を前記検索語文字列の前記第２の文字として入力するステップと
を実行し、
１つ以上の特定されたコンテンツ項目文字列が表示され、１つまたは複数の前記特定されたコンテンツ項目文字列がプリファレンス属性と関連付けられ、前記特定されたコンテンツ項目文字列は、前記プリファレンス属性と関連付けられたコンテンツ項目文字列が前記プリファレンス属性と関連付けられていないコンテンツ項目文字列よりも前に表示されるように順序立てて表示され、前記文字列のそれぞれは、前記文字列が関連付けられたコンテンツ項目にアクセスすることができるテレビベースのチャネルと関連付けられていることを特徴とする１つまたは複数のコンピュータ可読媒体。
【請求項２５】
前記１つまたは複数のコンテンツデータベースは、ローカルに格納されたことを特徴とする請求項２４に記載の１つまたは複数のコンピュータ可読媒体。
【請求項２６】
前記１つまたは複数のコンテンツデータベースは、リモートの場所に格納されたことを特徴とする請求項２４に記載の１つまたは複数のコンピュータ可読媒体。
【請求項２７】
少なくとも２つのコンテンツデータベースをさらに備え、１つのコンテンツデータベースはローカルに格納され、１つのコンテンツデータベースはリモートの場所に格納されたことを特徴とする請求項２４に記載の１つまたは複数のコンピュータ可読媒体。
【請求項２８】
ユーザーインターフェイスを提供する前記ステップは、オンスクリーンキーボードを提供するステップをさらに備えたことを特徴とする請求項２４に記載の１つまたは複数のコンピュータ可読媒体。
【請求項２９】
ユーザーインターフェイスを提供する前記ステップは、文字を入力することができる文字エントリフィールドを提供するステップをさらに備えたことを特徴とする請求項２４に記載の１つまたは複数のコンピュータ可読媒体。
【請求項３０】
前記第１の位置は、前記検索語文字列の第１の位置以外の位置であることを特徴とする請求項２４に記載の１つまたは複数のコンピュータ可読媒体。
【請求項３１】
前記第１の文字の後に入力される最高の確率を有するデフォルトの第２の文字を判定する前記ステップは、各特定されたコンテンツ項目文字列を調べて、前記コンテンツ項目文字列の前記第１の位置の直後にある第２の位置に最も頻繁に現れる文字であるデフォルトの第２の文字を判定するステップをさらに備えたことを特徴とする請求項２４に記載の１つまたは複数のコンピュータ可読媒体。
【請求項３２】
前記表示するステップは、前記デフォルトの第２の文字を前記ユーザーインターフェイス上のオンスクリーンキーボードにおいてハイライトするステップをさらに備えたことを特徴とする請求項２４に記載の１つまたは複数のコンピュータ可読媒体。
【請求項３３】
前記表示するステップは、前記デフォルトの第２の文字を前記ユーザーインターフェイス上の文字表示フィールドに表示するステップをさらに備えたことを特徴とする請求項２４に記載の１つまたは複数のコンピュータ可読媒体。
【請求項３４】
コンピュータ上で実行されるとき、１つまたは複数の特定されたコンテンツ項目文字列を前記ユーザーインターフェイス上で表示する追加のステップを実行するコンピュータ実行可能命令をさらに備えたことを特徴とする請求項２４に記載の１つまたは複数のコンピュータ可読媒体。
【請求項３５】
複数の特定されたコンテンツ項目文字列は、前記特定されたコンテンツ項目文字列の第３の文字に従ってアルファベット順に表示され、前記第３の文字は前記第２の位置の直後であることを特徴とする請求項３４に記載の１つまたは複数のコンピュータ可読媒体。
【請求項３６】
複数の特定されたコンテンツ文字列が表示され、
前記特定されたコンテンツ項目文字列は、お気に入りのチャンネルに関連付けられたコンテンツ項目文字列がお気に入りのチャンネルではないチャンネルに関連付けられたコンテンツ項目文字列より前に表示されるような順序で表示されることを特徴とする請求項３４に記載の１つまたは複数のコンピュータ可読媒体。
【請求項３７】
前記お気に入りのチャンネルは、前記ユーザーによって選択されることを特徴とする請求項３６に記載の１つまたは複数のコンピュータ可読媒体。
【請求項３８】
前記お気に入りのチャンネルは、ユーザーのビヘイビアをモニタすることによって判定されることを特徴とする請求項３６に記載の１つまたは複数のコンピュータ可読媒体。
【請求項３９】
前記プリファレンス属性は、好みの出演者、好みの作者、好みのディレクター、好みのタイトル、前記ユーザーによって行われた以前の検索によって判定された好みのローカル検索語、コンテンツシステム上で行われた以前の検索によって判定された好みのグローバル検索語のプリファレンス属性の１つをさらに備えたことを特徴とする請求項２４に記載の１つまたは複数のコンピュータ可読媒体。